(57)【要約】【課題】光学像を電気信号に変換してディジタル記録処理するディジタルカメラにおいて、接写（マクロ撮影）時に被写体に対して簡便に均一な照明をすること。【解決手段】筒状の形状を有するレンズ系と、レンズ系により結像される光学像を電気信号に変換する光電変換部と、電気信号をディジタル記録処理するディジタル記録処理部と、レンズ系の光軸からずれた位置に設けられ、レンズ系による視野に対して光を放射可能な光放射ランプと、レンズ系の筒状形状の周りに着脱可能に設けられ、光放射ランプの放射する光を導き入れる光導入口と該導き入れられた光をレンズ系の周りから放射する放射面とを有する導光放射部とを具備する。【選択図】図１
2005326720.tif 000002
【特許請求の範囲】
【請求項１】
筒状の形状を有するレンズ系と、
前記レンズ系により結像される光学像を電気信号に変換する光電変換部と、
前記電気信号をディジタル記録処理するディジタル記録処理部と、
前記レンズ系の光軸からずれた位置に設けられ、前記レンズ系による視野に対して光を放射可能な光放射ランプと、
前記レンズ系の筒状形状の周りに着脱可能に設けられ、前記光放射ランプの放射する光を導き入れる光導入口と該導き入れられた光を前記レンズ系の周りから放射する放射面とを有する導光放射部と
を具備することを特徴とするディジタルカメラ。
【請求項２】
前記導光放射部が、前記レンズ系の筒状形状の周りを回転可能であり、該回転の特定の位置において前記光放射ランプに前記光導入口が対向して前記光導入口から前記光放射ランプの放射する光を導き入れることを特徴とする請求項１記載のディジタルカメラ。
【請求項３】
前記導光放射部の前記光導入口が前記特定の位置にあるか否かを検知する光導入口位置検知部と、
前記検知された結果に基づいて前記光放射ランプの放射する光の強度を加減する光強度調整部と
をさらに具備することを特徴とする請求項２記載のディジタルカメラ。
【請求項４】
前記光導入口位置検知部により検知された結果に基づいて前記レンズ系の露出を加減する露出調整部をさらに具備することを特徴とする請求項３記載のディジタルカメラ。
【請求項５】
前記光放射ランプが、ストロボ（電子放電閃光装置）であることを特徴とする請求項１記載のディジタルカメラ。
【請求項６】
前記光放射ランプが、発光ダイオードであることを特徴とする請求項１記載のディジタルカメラ。
【請求項７】
前記導光放射部が、前記レンズ系の筒状形状に相当する位置に開口を有し、かつ全体として板状の形状であることを特徴とする請求項１記載のディジタルカメラ。
【請求項８】
前記導光放射部が前記レンズ系の筒状形状の周りに装着されているか否かを検知する導光放射部着脱検知部と、
前記検知された結果に基づいて前記光放射ランプの放射する光の強度を加減する光強度調整部と
をさらに具備することを特徴とする請求項７記載のディジタルカメラ。
【請求項９】
前記導光放射部着脱検知部により検知された結果に基づいて前記レンズ系の露出を加減する露出調整部をさらに具備することを特徴とする請求項８記載のディジタルカメラ。
【発明の詳細な説明】
【技術分野】
【０００１】
本発明は、光学像を電気信号に変換してディジタル記録処理するディジタルカメラに係り、特に、接写（マクロ撮影）に適するディジタルカメラに関する。
【背景技術】
【０００２】
ディジタルカメラに限らずカメラ一般では、特に接写時の光源制御が通常より難しい。通常の撮影では、カメラ側に備えた例えばストロボにより適正な照度を被写体に与えることできるが、接写ではレンズ系による視野とストロボなど光放射ランプによる光の放射方向とのずれが相対的に大きくなり、視野内で不均一な照度となりやすい。このため撮影結果として白く飛んだり黒くつぶれる場合が多くなる。
【０００３】
接写での被写体の照度不均一を解消するには、例えばレンズの周りに発光源が並ぶ照明装置を用いることができる（例えば下記特許文献１）。しかし装置として大掛かりになりやすくポータビリティを旨とする特にディジタルカメラのような分野では扱いづらい。
【特許文献１】特開平１０−２７４７９９号公報
【発明の開示】
【発明が解決しようとする課題】
【０００４】
本発明は、上記の事情を考慮してなされたもので、光学像を電気信号に変換してディジタル記録処理するディジタルカメラにおいて、接写（マクロ撮影）時に被写体に対して簡便に均一な照明をすることができるディジタルカメラを提供することを目的とする。
【課題を解決するための手段】
【０００５】
上記の課題を解決するため、本発明に係るディジタルカメラは、筒状の形状を有するレンズ系と、前記レンズ系により結像される光学像を電気信号に変換する光電変換部と、前記電気信号をディジタル記録処理するディジタル記録処理部と、前記レンズ系の光軸からずれた位置に設けられ、前記レンズ系による視野に対して光を放射可能な光放射ランプと、前記レンズ系の筒状形状の周りに着脱可能に設けられ、前記光放射ランプの放射する光を導き入れる光導入口と該導き入れられた光を前記レンズ系の周りから放射する放射面とを有する導光放射部とを具備することを特徴とする。
【０００６】
すなわち、レンズ系の筒状形状の周りに「導光放射部」を着脱可能に設ける。導光放射部には、光放射ランプの放射する光を導き入れる光導入口と導き入れられた光をレンズ系の周りから放射する放射面とがある。よって、光放射ランプの放射する光はレンズ系の周りから放射されるようになる。ゆえに、一般的な光放射ランプを利用して、接写時に被写体に対して簡便に均一な照明をすることができる。
【発明の効果】
【０００７】
本発明によれば、光学像を電気信号に変換してディジタル記録処理するディジタルカメラにおいて、接写時に被写体に対して簡便に均一な照明をすることができる。
【発明を実施するための最良の形態】
【０００８】
本発明の実施態様として、前記導光放射部が、前記レンズ系の筒状形状の周りを回転可能であり、該回転の特定の位置において前記光放射ランプに前記光導入口が対向して前記光導入口から前記光放射ランプの放射する光を導き入れる、とすることができる。すなわち、導光放射部がレンズ系の筒状形状の周りを回転することにより、光放射ランプと光導入口との対向／非対向の切り換えを可能とした態様である。非対向の場合には導光放射部の放射面からは光は放出せず通常の光放射ランプの使い方ができる。
【０００９】
ここで、前記導光放射部の前記光導入口が前記特定の位置にあるか否かを検知する光導入口位置検知部と、前記検知された結果に基づいて前記光放射ランプの放射する光の強度を加減する光強度調整部とをさらに具備するようにしてもよい。接写時とそうでないときとで切り換え、光放射ランプとして適切な強度の光を放射するものである。
【００１０】
また、ここで、前記光導入口位置検知部により検知された結果に基づいて前記レンズ系の露出を加減する露出調整部をさらに具備するようにしてもよい。接写時とそうでないときとで切り換え、レンズ系として適切な露出を設定するものである。
【００１１】
また、実施態様として、前記光放射ランプは、ストロボ（電子放電閃光装置）とすることができる。一般的な照明用の光照射ランプとして代表的なものである。
【００１２】
また、実施態様として、前記光放射ランプは、発光ダイオードとすることができる。発光ダイオード（白色発光のものを含む）の発光強度は比較的小さいが、例えばオートフォーカス機構を健全に機能させるため補助光源として備え得る。この光源を接写のための光源として利用するものである。
【００１３】
また、実施態様として、前記導光放射部は、前記レンズ系の筒状形状に相当する位置に開口を有し、かつ全体として板状の形状である、とすることができる。板状とすることでディジタルカメラへの装着時の形状を整えより扱いやすくする効果がある。
【００１４】
ここで、前記導光放射部が前記レンズ系の筒状形状の周りに装着されているか否かを検知する導光放射部着脱検知部と、前記検知された結果に基づいて前記光放射ランプの放射する光の強度を加減する光強度調整部とをさらに具備するようにしてもよい。これも、接写時とそうでないときとで切り換え、光放射ランプとして適切な強度の光を放射するものである。
【００１５】
また、ここで、前記導光放射部着脱検知部により検知された結果に基づいて前記レンズ系の露出を加減する露出調整部をさらに具備するようにしてもよい。これも、接写時とそうでないときとで切り換え、レンズ系として適切な露出を設定するものである。
【００１６】
以上を踏まえ、以下では本発明の実施形態を図面を参照しながら説明する。まず本発明の一実施形態について図１、図２、図３を参照して説明する。図１は、本発明の一実施形態に係るディジタルカメラの構成を示す斜視図である。図１（ａ）は、接写時ではない場合を、図１（ｂ）は接写時の場合をぞれぞれ示す。
【００１７】
図１に示すように、このディジタルカメラ１０は、外観として、光照射ランプを含むストロボユニット１１、導光放射部１２、レンズ系１３、光導入口位置センサ（光導入口位置検知部）１４を有する。ストロボユニット１１は、接写時、非接写時それぞれに応じて撮影時に電子放電閃光をレンズ系１３の視野に直接的にまたは間接的に放つものである。レンズ系１３は、全体として筒状の形状を有し、かつその視野情報を光学像として撮像素子（不図示）上に結像するものである。レンズ系１３の光軸からずれた位置にストロボユニット１１は設けられる。レンズ系１３には露出を調整するための絞り（不図示）が含まれる。
【００１８】
導光放射部１２は、レンズ系１３の筒状形状の周りに着脱可能に設けられ、後述するように、ストロボユニット１１の放射する光を導き入れる光導入口と、導き入れられた光をレンズ系１３の周りから放射する放射面とを有する。また、レンズ系１３の周りに回転可能であり、この回転の特定の位置では光導入口がストロボユニット１１に対向してその放射光を導き入れることができる。これが図１（ｂ）に示す場合である。この場合、光導入口から導き入れられたストロボユニット１１の放射光は、導光放射部１２の透明内部を伝わりレンズ系１３の筒状周りに位置する放射面から放出される。放射面には放出される光が拡散するように凹凸が設けられている。
【００１９】
なお、上記特定の位置以外では、光導入口がストロボユニット１１に対向しないのでその放射光を導き入れることはできず、放射光は直接的にレンズ系１３の視野に放射される。これが図１（ａ）に示す場合である。
【００２０】
光導入口位置センサ１４は、導光放射部１２がレンズ系１３の周りで図１（ｂ）のような状態（光導入口がストロボユニット１１に対向する状態）にあるか否かを検知するセンサである。ここでは、本体面上に出没可能な突起を有し、その突起が通常は例えばばね力で突出した状態にされている構造のものである。ただし、要は導光放射部１２がレンズ系１３の周りで図１（ｂ）のような状態にあるか否かを検知できるものであればこのような構造または機構のものに限らず利用することができる。
【００２１】
図２は、図１（ｂ）中に示したＡ−Ａａ断面の矢視方向図である。図２において、図１に示した構成と同一のものには同一符号を付してある。導光放射部１２は、その内部全体として透明な材質からなり、ストロボユニット１１の光放射方向に対向してその透明部分が露出した光導入口１２ａを有している。また、レンズユニット１３の周りには、導光放射部１２の透明部分が露出しかつ表面に凹凸が設けられた放射面１２ｂが位置している。光導入口１２ａおよび放射面１２ｂを除いた導光放射部１２の表面は、光導入口１２ａから導入された光が漏れないように遮光塗装部１２ｃにより覆われている。なお、導光放射部１２の透明部分には、例えばガラスや透明樹脂を用いることができ、遮光塗装部１２ｃには黒色や銀色の不透明塗料を用いることができる。
【００２２】
レンズ系１３による結像位置には撮像素子１５が設けられている。撮像素子１５により光電変換されて得られる電気信号はディジタル記録処理部１６に導かれる。ディジタル記録処理部１６では、所定の信号処理が施されかつ各種の記録メディアにその処理結果としての画像信号が格納される。
【００２３】
図３は、本発明の上記一実施形態に係るディジタルカメラにおける光強度・露出調整系の構成を示すブロック図である。図３において、図１、図２で説明した構成と同一相当のものには同一符号を付してある。
【００２４】
光導入口位置センサ１４による光導入口１２ａ位置の検知結果は、ストロボ光強度調整部２１および露出調整部２２にもたらされる。ストロボ光強度調整部２１は、そのもたらされた結果に応じてストロボユニット１１の発光強度を加減すべく動作する。露出調整部２２は、そのもたらされた結果に応じてレンズ系１３の絞りを調整すべく動作する。これらの動作は、接写の場合と接写ではない場合とで、適切なストロボユニット１１による光強度や絞り位置が自ずと異なることに鑑みてなすものである。なお、ストロボ光強度調整部２１や露出調整部２２自体が発光強度や露出の自動調整機能を有する場合もあり得る。この場合であっても、接写の場合と接写ではない場合とでそれらの動作基準を変えるため光導入口位置センサ１４を設けることは意味がある。
【００２５】
以上のような構成のディジタルカメラ１０によれば、ストロボユニット１１による発光が導光放射部１２によりレンズ系１３の周りからの放射光に変換されるので、簡便に接写時に被写体に対して均一な照明をすることができる。ストロボユニット１１の設けられた位置はレンズ系１３の光軸とずれており接写の場合にはそのずれは相対的に大きいが、導光放射部１２を設けることにより、レンズ系１３の光軸周りからまんべんなく光が被写体に照射される。
【００２６】
また、導光放射部１２を、カメラ本体に着脱可能にしかつ実質的にレンズ系１３の周りに回転させることで機能させるようにしているので、接写でない場合にも容易な扱い（ストロボユニット１１の使用）ができる。しかも、導光放射部１２の回転位置により自動的に接写であることをディジタルカメラ１０側が認知でき、それに応じてストロボ光の強度調整や露出の自動調整を行うことができ、操作性が向上する。
【００２７】
次に、本発明の別の実施形態について図４、図５を参照して説明する。図４は、本発明の別の実施形態に係るディジタルカメラの構成を示す斜視図である。図４において、すでに説明した構成要素と同一相当のものには同一符号を付してある。その部分の説明は特に加えることがない限り省略する。図４（ａ）は、接写時ではない場合を、図４（ｂ）は接写時の場合をぞれぞれ示す。
【００２８】
この実施形態のディジタルカメラ１０Ａは、上記実施形態のディジタルカメラ１０と同様に導光放射部１２を有するが、光を導き入れる元がストロボユニットではなく補助光源ユニット４１である。補助光源ユニット４１は、例えば白色発光ダイオードの光源であり、例えばオートフォーカスを働かせるため被写体を補助的に照明するものである。被写体が暗すぎるとレンズ系１３による光学像の明暗が小さ過ぎて合焦しているか否かの検出が難しくなくことを考慮して設けられる。この実施形態では、補助光源ユニット４１を接写の場合の光源としても利用する。また、光導入口位置センサ１４と同様な光導入口位置センサ１４ａを設ける。
【００２９】
補助光源ユニット４１は、ストロボユニット１１と同様にレンズ系１３の光軸とずれた位置に設けられ、接写時においてはレンズ系１３の視野との照射ずれが相対的により大きくなるので、一般に接写時に補助光源ユニット４１の使用はしない。そのため、この実施形態は接写時の遊休構成要素の活用ということもできる。
【００３０】
図５は、本発明の上記別の実施形態に係るディジタルカメラにおける光強度・露出調整系の構成を示すブロック図である。図５において、すでに説明した構成と同一相当のものには同一符号を付してある。その部分の説明は省略する。この構成は、図３に示した構成とほぼ同様に考えることができる。すなわち、光導入口位置センサ１４ａによる光導入口位置の検知結果が、補助光源強度調整部５１および露出調整部２２にもたらされる。補助光源強度調整部５１は、そのもたらされた結果に応じて補助光源ユニット４１の発光強度を加減すべく動作する。
【００３１】
この実施形態のディジタルカメラ１０Ａによっても、補助光源ユニット４１による発光が導光放射部１２によりレンズ系１３の周りからの放射光に変換されるので、簡便に接写時に被写体に対して均一な照明をすることができる。補助光源ユニット４１の設けられた位置はレンズ系１３の光軸とずれており接写の場合にはそのずれは相対的に大きいが、導光放射部１２を設けることにより、レンズ系１３の光軸周りからまんべんなく光が被写体に照射される。
【００３２】
また、導光放射部１２を、カメラ本体に着脱可能にしかつ実質的にレンズ系１３の周りに回転させることで機能させるようにしているので、接写でない場合にも容易な扱い（補助光源ユニット４１の使用）ができる。しかも、導光放射部１２の回転位置により自動的に接写であることをディジタルカメラ１０Ａ側が認知でき、それに応じて補助光源の発光強度調整や露出の自動調整を行うことができ、操作性が向上する。また特に、接写時の遊休構成要素である補助光源ユニット４１が活用される点で別の利点がある。
【００３３】
次に、本発明のさらに別の実施形態について図６、図７を参照して説明する。図６は、本発明のさらに別の実施形態に係るディジタルカメラの構成を示す斜視図である。図６において、すでに説明した構成要素と同一相当のものには同一符号を付してある。その部分の説明は特に加えることがない限り省略する。
【００３４】
この実施形態のディジタルカメラ１０Ｂは、全体として板状形状の板埋め込み型導光放射部６２を、ディジタルカメラ本体６１に着脱可能に有する。板埋め込み型導光放射部６２は、レンズ系１３の筒状形状に相当する位置が開口になっており、この開口内にレンズ系１３の突出を収容するようにディジタルカメラ本体６１の前面に取り付けることができる。また、板埋め込み型導光放射部６２は、ストロボユニット１１の光放射方向に対向してその透明部分が露出した光導入口６２ａを有し、カメラ本体６１に取り付けられたときに、レンズユニット１３の周りにその透明部分が露出しかつ表面に凹凸が設けられた放射面６２ｂが位置する。
【００３５】
板埋め込み型導光放射部６２の光導入口６２ａおよび放射面６２ｂを含む板埋め込みされた部分は、図１に示した導光放射部１２と同様な構成および機能である。化粧板６２ｃの部分は、これらの部分を取り囲んで全体としてディジタルカメラ本体６１の側面の延長面に揃うような大きさを有している。化粧板なので材質として板埋め込みされた部分とは無関係に選択してよい。
【００３６】
接写レンズ６３は、いわゆるスーパーマクロ撮影用のアダプタ型レンズであるが、板埋め込み型導光放射部６２の開口部にはめ込んで使用または保存することができる。導光放射部着脱センサ１４ｂは、図１における光導入口位置センサ１４と同様な構造または機構を有すると考えてよいが、この導光放射部着脱センサ１４ｂの場合は、板埋め込み型導光放射部６２がディジタルカメラ本体６１に取り付けられたときに接写モードを機能させるためのものである。
【００３７】
図７は、本発明の上記さらに別の実施形態に係るディジタルカメラにおける光強度・露出調整系の構成を示すブロック図である。図７において、すでに説明した構成と同一相当のものには同一符号を付してある。その部分の説明は省略する。図７に示す構成は、図３に示した構成とほぼ同様に考えることができる。すなわち、導光放射部着脱センサ１４ｂによる板埋め込み型導光放射部６２の着脱の検知結果が、ストロボ光強度調整部２１および露出調整部２２にもたらされる。ストロボ光強度調整部２１、露出調整部２２、およびその調整先であるストロボユニット１１、レンズ系１３についてはすでに説明した。
【００３８】
この実施形態の板埋め込み型導光放射部６２を、図４に示したような補助光源ユニット４１を有するディジタルカメラ１０Ａに適用することももちろんできる。この場合、補助光源ユニット４１の位置に対向するように光導入口６２ａを設ければよい。この事項を含めて、この実施形態も上記各実施形態とほぼ同様な効果を得ることができるが、ほかに、導光放射部６２が全体として板状になっているので使用時に本体６１との一体感をより向上する利点がある。
【図面の簡単な説明】
【００３９】
【図１】本発明の一実施形態に係るディジタルカメラの構成を示す斜視図。
【図２】図１（ｂ）中に示したＡ−Ａａ断面の矢視方向図。
【図３】本発明の一実施形態に係るディジタルカメラにおける光強度・露出調整系の構成を示すブロック図。
【図４】本発明の別の実施形態に係るディジタルカメラの構成を示す斜視図。
【図５】本発明の別の実施形態に係るディジタルカメラにおける光強度・露出調整系の構成を示すブロック図。
【図６】本発明のさらに別の実施形態に係るディジタルカメラの構成を示す分解斜視図。
【図７】本発明のさらに別の実施形態に係るディジタルカメラにおける光強度・露出調整系の構成を示すブロック図。
【符号の説明】
【００４０】
１０，１０Ａ，１０Ｂ…ディジタルカメラ、１１…ストロボユニット、１２…導光放射部、１２ａ…光導入口、１２ｂ…放射面、１２ｃ…遮光塗装部、１３…レンズ系、１４，１４ａ…光導入口位置センサ（光導入口位置検知部）、１４ｂ…導光放射部着脱センサ（導光放射部着脱検知部）、１５…撮像素子（光電変換部）、１６…ディジタル記録処理部、２１…ストロボ光強度調整部、２２…露出調整部、４１…補助光源ユニット、５１…補助光源強度調整部、６１…ディジタルカメラ本体、６２…板埋め込み型導光放射部、６２ａ…光導入口、６２ｂ…放射面、６２ｃ…化粧板、６３…接写レンズ。
【図１】
2005326720.tif 000003
【図２】
2005326720.tif 000004
【図３】
2005326720.tif 000005
【図４】
2005326720.tif 000006
【図５】
2005326720.tif 000007
【図６】
2005326720.tif 000008
【図７】
2005326720.tif 000009